【手続補正書】
【提出日】平成21年1月29日(2009.1.29)
【手続補正１】
【補正対象書類名】明細書
【補正対象項目名】特許請求の範囲
【補正方法】変更
【補正の内容】
【特許請求の範囲】
【請求項１】  表面と前記表面上のテープとを含むフレキソ印刷版のためのキャリアであって、前記テープが前記表面上の第１の接着剤層と前記第１の接着剤層上の基板と前記基板の反対側の第２の接着剤層とを含み、前記基板が略平滑でありかつ発泡体の層を含み、前記第１の接着剤層と前記第２の接着剤層の少なくとも一方が略連続的な架橋した接着剤であり、前記第１の接着剤層と前記第２の接着剤層の少なくとも一方が永久溝の規則的パターンを含み、この溝が約４μｍ〜約２００μｍの深さ及び約４μｍ〜約２００μｍの幅を有するキャリア。
【請求項２】  （ａ）取付け面を有するフレキソ印刷版のためのキャリアを提供する工程と、
（ｂ）第１の接着剤層と前記第１の接着剤層上の基板と前記基板の反対側の第２の接着剤層とを含むテープであって、前記基板が略平滑でありかつ発泡体の層を含み、前記第１の接着剤層と前記第２の接着剤層の少なくとも一方が略連続的な架橋した接着剤であり、前記第１の接着剤層と前記第２の接着剤層の少なくとも一方が永久溝の規則的パターンを含み、この溝が約４μｍ〜約２００μｍの深さ及び約４μｍ〜約２００μｍの幅を有するテープを提供する工程と、
（ｃ）前記第１の接着剤層を前記キャリアの前記取付け面に適用させる工程と、を含む印刷版を取り付ける方法。
【請求項３】  第１の接着剤層と前記第１の接着剤層上の基板と前記基板の反対側の第２の接着剤層とを含むフレキソ印刷版のための接着剤テープであって、前記基板が発泡体層を含み、前記第１の接着剤層と前記第２の接着剤層の少なくとも一方が略連続的な架橋した接着剤であり、前記第１の接着剤層と前記第２の接着剤層の少なくとも一方が約４μｍ〜約２００μｍの深さおよび約４μｍ〜約２００μｍの幅を有する永久溝の規則的パターンを含む接着剤テープ。
【請求項４】  前記第１の接着剤層と前記第２の接着剤層は少なくとも８０％の接触の表面積を有する、請求項３に記載のテープ。
【請求項５】  前記第１の接着剤層と前記第２の接着剤層の少なくとも一方は除去可能である、請求項３に記載のテープ。
【請求項６】  （ａ）下面およびレリーフ面を有する印刷版と、
（ｂ）前記印刷板の下面上の取付けテープであって、この取付けテープは前記印刷版の下面に結合された第１の表面を有する発泡体層を含む略平滑な基板および前記第１の表面の反対側にある前記基板の第２の表面に結合された接着剤層を含み、前記接着剤層が略平滑な架橋した接着剤であり、接着剤層の少なくとも１つが約４μｍ〜約２００μｍの深さおよび約４μｍ〜約２００μｍの幅を有する永久溝の規則的パターンを含む
を含むフレキソ印刷のための印刷版。
【請求項７】  （ａ）下面およびレリーフ面を有する印刷版と、
（ｂ）前記印刷版の下面上の接着剤層であって、約４μｍ〜約２００μｍの深さおよび約４μｍ〜約２００μｍの幅を有する永久溝の規則的パターンを含む接着剤層とを含む、略平滑な架橋した接着剤、および
（ｃ）印刷板と反対側の接着剤層と接触した発泡体層を含む略平滑な基板
を含む、フレキソ印刷のための印刷版。
【手続補正２】
【補正対象書類名】明細書
【補正対象項目名】０００８
【補正方法】変更
【補正の内容】
【０００８】
発明の概要
第１の実施形態において、本発明はフレキソ印刷版のためのキャリアである。キャリアは表面と表面上のテープとを含む。テープは、キャリア表面上の第１の接着剤層と第１の接着剤層上の基板と基板の反対側の第２の接着剤層とを含み、基板は略平滑である。第１の接着剤層と第２の接着剤層の少なくとも一方は、好ましくは略連続的であるとともに、永久溝の規則的パターンを含む。溝は、好ましくは約４μｍ〜約２００μｍの深さおよび約４μｍ〜約２００μｍの幅を有する。
【手続補正３】
【補正対象書類名】明細書
【補正対象項目名】０００９
【補正方法】変更
【補正の内容】
【０００９】
第２の実施形態において、本発明は印刷版を取り付ける方法である。本方法は、取付け面を有するフレキソ印刷版のためのキャリアを提供する工程を含む。第１の接着剤層と第１の接着剤層上の基板と基板の反対側の第２の接着剤層とを含むテープが提供され、基板は略平滑である。第１の接着剤層と第２の接着剤層の少なくとも一方は、好ましくは略連続的であるとともに、永久溝の規則的パターンを含む。溝は、好ましくは約４μｍ〜約２００μｍの深さおよび約４μｍ〜約２００μｍの幅を有する。その後、第１の接着剤層はキャリアの取付け面に適用される。その後、印刷版はテープの第２の接着剤層に適用してもよい。
【手続補正４】
【補正対象書類名】明細書
【補正対象項目名】００１０
【補正方法】変更
【補正の内容】
【００１０】
第３の実施形態において、本発明は、第１の接着剤層と第１の接着剤層上の基板と基板の反対側の第２の接着剤層とを含むフレキソ印刷のための接着剤テープである。基板は、発泡体層、少なくとも一層の略平滑な高分子フィルム層またはそれらの組み合わせ層を含んでもよい。第１の接着剤層と第２の接着剤層の少なくとも一方は、好ましくは略連続的であるとともに、永久溝の規則的パターンを有する。溝は、好ましくは約４μｍ〜約２００μｍの深さおよび約４μｍ〜約２００μｍの幅を有する。
【手続補正５】
【補正対象書類名】明細書
【補正対象項目名】００１１
【補正方法】変更
【補正の内容】
【００１１】
第４の実施形態において、本発明は、取付け面を有するフレキソ印刷版のためのキャリアを提供する工程を含むフレキソ印刷方法である。その後、第１の接着剤層と第１の接着剤層上の基板と基板の反対側の第２の接着剤層とを含むテープが提供され、基板は略平滑である。第１の接着剤層と第２の接着剤層の少なくとも一方は、好ましくは略連続的であるとともに、永久溝の規則的パターンを含む。溝は、好ましくは約４μｍ〜約２００μｍの深さおよび約４μｍ〜約２００μｍの幅を有する。テープの第１の接着剤層はキャリアの取付け面に適用され、印刷版はテープの第２の接着剤層に適用される。インキは印刷版上に適用され、その後、インキは基板に適用される。
【手続補正６】
【補正対象書類名】明細書
【補正対象項目名】００１２
【補正方法】変更
【補正の内容】
【００１２】
第５の実施形態において、本発明はフレキソ印刷版のためのキャリアを含む印刷デバイスである。キャリアは表面と表面上のテープとを含む。テープはキャリア表面上の第１の接着剤層と第１の接着剤層上の基板と基板の反対側の第２の接着剤層とを含み、基板は略平滑である。第１の接着剤層と第２の接着剤層の少なくとも一方は、好ましくは略連続的であるとともに、永久溝の規則的パターンを含む。溝は、好ましくは約４μｍ〜約２００μｍの深さおよび約４μｍ〜約２００μｍの幅を有する。印刷版は、テープの第２の接着剤層に適用される。
【手続補正７】
【補正対象書類名】明細書
【補正対象項目名】００１３
【補正方法】変更
【補正の内容】
【００１３】
第６の実施形態において、本発明は、下面およびレリーフ面を有する印刷版を含むフレキソ印刷のための印刷版である。取付けテープは印刷版の下面上にあり、取付けテープは、印刷版の下面に結合された第１の表面を有する略平滑な基板および第１の表面の反対側にある前記基板の第２の表面に結合された接着剤層を含む。接着剤層は、好ましくは略連続的であるとともに、永久溝の規則的パターンを含む。溝は、好ましくは約４μｍ〜約２００μｍの深さおよび約４μｍ〜約２００μｍの幅を有する。
【手続補正８】
【補正対象書類名】明細書
【補正対象項目名】００１４
【補正方法】変更
【補正の内容】
【００１４】
第７の実施形態において、本発明はフレキソ印刷のための印刷版である。印刷版は下面およびレリーフ面を有する。接着剤層は印刷版の下面上にある。接着剤層は、好ましくは略連続的であるとともに、永久溝の規則的パターンを含む。溝は、好ましくは約４μｍ〜約２００μｍの深さおよび約４μｍ〜約２００μｍの幅を有する。